(57)【要約】【課題】支持装置により支持される加熱調理器において、加熱調理器と支持装置に囲まれた空間を有効に活用できていないという課題がある。【解決手段】上記の課題を解決する為には、加熱調理器と、該加熱調理器を支持する支持装置と、収納庫を有する加熱調理器セットにおいて、支持装置は複数の支持体からなり、加熱調理器と向かい合う支持体により形成される空間に、収納庫を設ける。この様に構成することにより、支持装置により支持される加熱調理器において、収納庫として用いることが可能となり、加熱調理器の下の空間を有効に利用することができる。【選択図】図４
2018040498.tif 000002
【特許請求の範囲】
【請求項１】
加熱調理器と、該加熱調理器を支持する支持装置と、収納庫を有し、
前記支持装置は複数の支持体を有し、前記加熱調理器と向かい合う支持体により形成される空間に、前記収納庫を設けたことを特徴とする加熱調理器セット。
【請求項２】
前記加熱調理器の下面には、内部に空気を取り込む吸気口が形成されており、
前記収納庫は、前記加熱調理器と向かい合う前記支持体により形成される空間を塞ぐ扉を有し、
前記加熱調理器と前記扉の間には、隙間が形成されていることを特徴とする請求項１に記載の加熱調理器セット。
【請求項３】
前記加熱調理器の下面には、内部の空気を排出する排気口が形成されており、
前記収納庫は、前記加熱調理器と向かい合う支持体により形成される空間に位置した状態において、前記排気口より前方に位置することを特徴とする請求項１に記載の加熱調理器セット。
【請求項４】
前記収納庫は、前記扉を取り付けるトレイを有し、前記トレイの後壁と前記加熱調理器の隙間を、前記扉と前記加熱調理器の隙間より小さくすることを特徴とする請求項３に記載の加熱調理器セット。
【請求項５】
加熱調理器と、該加熱調理器を支持する支持装置と、収納庫を有する加熱調理器セットにおいて、
前記支持装置は複数の支持体を有し、前記加熱調理器と向かい合う支持体により形成される空間に、前記収納庫を設け、
前記支持体には、前記加熱調理器セットの外部から、前記加熱調理器と向かい合う前記支持体により形成される空間の内部に気流が流れる連通部を有することを特徴とする加熱調理器セット。
【発明の詳細な説明】
【技術分野】
【０００１】
本発明は、加熱調理器と支持装置を有し、加熱調理器を下方向から支持装置で支持することで、設置する台に調理作業に適した高さに設置する加熱調理器セットに関する。
【背景技術】
【０００２】
従来から、支持装置を加熱調理器の下部に取り付けることで、加熱調理器を設置する台に、調理作業に適した高さとなるように設置される加熱調理器セットがある。支持装置は、加熱調理器の左側を支持する左側支持体と、加熱調理器の右側を支持する右側支持体を有し、加熱調理器の下に設置されて加熱調理器を支える。
【先行技術文献】
【特許文献】
【０００３】
【特許文献１】特開２０１６−２８２１８号公報
【発明の概要】
【発明が解決しようとする課題】
【０００４】
しかしながら、このような加熱調理器セットは、加熱調理器が支持装置に支持された状態では、加熱調理器の下方に、左側支持体と右側支持体と加熱調理器に囲まれた空間が形成される。つまり、加熱調理器の下部に、デットスペースとなる空間が生じる。
上記文献の第００５３段落には、加熱調理器の下の位置に、調理器具を収納する使い方が開示されている。しかしながら、調理作業中に跳ねた油や水分が、当該位置に侵入してしまうので、調理器具や加熱調理器の下側が汚れてしまう課題がある。
【０００５】
本発明は上記の課題を解決する為のものであり、支持装置により支持される加熱調理器において、加熱調理器と支持装置に囲まれた空間を有効に活用することができる加熱調理器セットを提供するものである。
【課題を解決するための手段】
【０００６】
上記の課題を解決する為には、加熱調理器と、該加熱調理器を支持する支持装置と、収納庫を有する加熱調理器セットにおいて、支持装置は複数の支持体からなり、加熱調理器と向かい合う支持体により形成される空間に、収納庫を設けることにより、課題を解決することができる。
【発明の効果】
【０００７】
本発明によれば、支持装置により支持される加熱調理器において、加熱調理器の下の空間を有効に利用することができる。
【図面の簡単な説明】
【０００８】
【図１】実施の形態１に係る加熱調理器を上側から見た斜視図
【図２】実施の形態１に係る加熱調理器を下側から見た斜視図
【図３】実施の形態１に係る加熱調理器セットを上側から見た斜視図
【図４】実施の形態１に係る加熱調理器セットの分解斜視図
【図５】図３のＡ−Ａ断面図
【図６】実施の形態２に係る加熱調理器セットの断面図
【図７】図６の引き出し体の斜視図
【図８】実施の形態３に係る加熱調理器セットを上側から見た斜視図
【図９】実施の形態３に係る加熱調理器セットの分解斜視図
【図１０】図８のＢ−Ｂ断面図
【図１１】実施の形態４に係る加熱調理器セットを上側から見た斜視図１
【図１２】実施の形態４に係る加熱調理器セットを下側から見た斜視図
【図１３】図１１のＣ−Ｃ断面図
【図１４】図１１のＤ−Ｄ断面図
【図１５】実施の形態４に係る加熱調理器セットを上側から見た斜視図２
【図１６】実施の形態４に係る加熱調理器セットを上側から見た斜視図３
【図１７】図１１の状態から引き出し体を外した状態の斜視図
【発明を実施するための形態】
【０００９】
実施の形態１．
図１、図２、図５を参照して加熱調理器１を説明する。
加熱調理器１の外郭は、天板１０と本体ケース２０により構成される。天板１０は、結晶化ガラスにより構成される平板状のトッププレート１１と、このトッププレート１１を支持する枠１２から構成される。
トッププレート１１の上面には、加熱調理を行う際に調理容器を置く位置である加熱部１０ａを示す加熱部表示１１ａと、加熱調理器１を操作する際に設定入力を行う操作部を示す表示である操作部表示１１ｂが表示されている。
【００１０】
加熱部表示１１ａは、トッププレート１１の上面の左側と右側にそれぞれリング状の表示されており、後述する誘導加熱コイル２４の上方に位置する。
操作部表示１１ｂは、例えば、電源ＯＮ／OFF、火力（出力）の調整、タイマー時間の設定／変更、等を示すキー表示であり、トッププレート１１に印刷により表示される。この操作表示部１１ｂは、トッププレート１１の下面側に設けられる静電容量スイッチから成る操作部スイッチ１１ｃの上方に位置する。
つまり、加熱調理器１の操作部は、操作部表示１１ｂと操作部スイッチ１１ｃから構成されている。
【００１１】
操作部スイッチ１１ｃは、トッププレート１１の下面に近接して位置しており、使用者が操作表示部１１ｂに触れることで操作部スイッチ１１ｃの静電容量が変化を検知して、ＯＮ又はＯＦＦの信号を制御部２２に出力する。
尚、本実施の形態では、静電容量スイッチを用いて操作部スイッチ１１ｃを構成しているが、天板１０の上面にトッププレート１１で覆われない領域を形成し、当該領域にタクトスイッチを配置して操作部スイッチ１１ｃを構成しても良い。
【００１２】
次に、本体ケース２０は、上面が開口する箱体であり、底板２１により底部が形成されている。底板２１には、吸気口２１ａと排気口２１ｂが開口する。
吸気口２１ａは、円形状の開口を中心から放射状のリブと円環状のリブで、格子状に塞ぐように構成されている。排気口２１ｂは、複数のスリット状の開口が左右方向に整列して構成されている。
【００１３】
底板２１の下面には、脚部２１ｃが設けられている。脚部２１ｃは、加熱調理器１を直接設置位置に置く場合、設置位置と底板２１の間に介在して、加熱調理器１を支える部位となる。加熱調理器１の場合の脚部２１ｃは、左右対象となるように、右側の前側と後側にそれぞれ１つずつ、左側の前側と後側にそれぞれ１つずつ設けられている。
【００１４】
底板２１の上面２１ｃには、制御部２２、インバーター２３、ファン２５が設けられている。制御部２２とインバーター２３は、印刷配線基板２６に実装されており、この印刷配線基板２６が底板２１に固定されている。また、トッププレート１１の下には、トッププレート１１に対向するように誘導加熱コイル２４が配置されている。
なお、吸気口２１ａは、誘導加熱コイル２４の下側に位置している。また、排気口２１ｂは、本体ケース２０の後側に位置している。そして、吸気口２１ａと排気口２１ｂの間には、制御部２２、インバーター２３、誘導加熱コイル２４が位置している。
【００１５】
制御部２２は、操作部スイッチ１１ｃからの入力や温度センサー等の各種センサーからの入力やあらかじめ記憶された制御アルゴリズムに基づき、インバーター２３やファン２５や表示部等の電子部品を制御する。
インバーター２３は、制御部２２からの入力に基づき動作し、誘導加熱コイル２４に電流を供給する。また、インバーター２３は、動作時に生じる熱を放熱する為の放熱部（ヒートシンク）２３ａを有する。
【００１６】
誘導加熱コイル２４は、インバーター２３より供給される電流により磁界を生じさせ、加熱部１０ａに置かれた調理容器を誘導加熱する。
ファン２５は、吸気口２１ａに対向して底板２１に設けられる。このファン２５は、制御部２２からの入力に基づき動作することで、吸気口２１ａから空気を吸い込み本体ケース２０の内部空間Ｒに空気を導入し、排気口２１ｂから本体ケース２０の外部に空気を排出する気流Ｗ１の流れを作る。
【００１７】
以上のように、各部を備える本体ケース２０には、天板１０が、本体ケース２０の上面の開口を覆うように本体ケース２０に取り付けられる。天板１０が本体ケース２０に取り付けられることにより、天板１０と本体ケース２０に囲まれた空間Ｒ１が形成される。つまり、この空間Ｒ１が加熱調理器１の内部空間である。
【００１８】
この空間Ｒの内部には、調理容器を加熱する動作の際に熱が生じる制御部２２やインバーター２３や誘導加熱コイル２４が位置しているが、ファン２５が動作することで、吸気口２１ａから加熱調理器１の外部の空気を取り込み、排気口２１ｂから空気を排出する気流Ｗ１が形成され、加熱調理器１の内部の温められた空気を外部に排出し、加熱調理器１の内部及び各種部品が高温とならないように構成されている。
【００１９】
次に、図３〜図５を参照して、加熱調理器セット１００を説明する。
加熱調理器セット１００は、加熱調理器１と支持装置１１０と収納庫となる引出し体１３０から構成される。
支持装置１１０は、加熱調理器１を下方より支持するものであり、左側から加熱調理器１を支持する左側の支持体１２０と、右側から加熱調理器１を支持する右側の支持体１２０の一対の支持体１２０から構成されている。
【００２０】
左側の支持体１２０と右側の支持体１２０は、加熱調理器１を支持した状態において、正面から見て、それぞれ左右対称となる形状に構成されている。
この支持装置１１０で加熱調理器１を支持することにより、キッチンにおいて、加熱調理器１の設置位置と隣り合う調理台と、加熱調理器１の天板１の高さを合わせることができる。又は、加熱調理器１を調理作業のし易い高さにすることができる。
【００２１】
支持体１２０は、底部１２１と前面壁１２２と外面壁１２３と内面壁１２４と後面壁１２５で外殻が構成され、内部が中空で上方に向けて開口する部材である。
底部１２１は、支持体１２０が加熱調理器１を支持した状態において、設置位置と対向する部位である。
前面壁１２２は、底部１２１の前端から垂直方向に立ち上がる面、つまり、前方を向く面を構成する部位である。
【００２２】
外面壁１２３は、支持体１２０が加熱調理器１を支持した状態において、加熱調理器セット１００の外側を向く面を構成する部位である。
内面壁１２４は、支持体１２０が加熱調理器１を支持した状態において、加熱調理器セット１００の内側を向く面を構成する部位である。つまり、内面壁１２４は、加熱調理器１の下部に形成される空間を向く。
後面壁１２５は、底部１２１の後端から垂直方向に立ち上がる面、つまり、後方を向く面を構成する部位である。
尚、本実施の形態においては、支持体１２０は、内部が中空の部材で説明するが、内部に合成樹脂などが詰まった中空でなない部材でもよい。
【００２３】
支持体１２０の前後方向の大きさ、つまり、前面壁１２２から後面壁１２５に至る大きさは、加熱調理器１を下方から支えることが可能な大きさである。本実施の形態では、加熱調理器１の前後方向の大きさと、ほぼ同じ大きさに構成されている。
また、内面壁１２４の下側には、下段部１２６が設けられている。下段部１２６は、内面壁１２４の前端から所定の幅Ｄ１だけ後方側の位置から後端に至り、内面壁１２４から突出した部分であり、上面１２６ａが平らに形成されている。
【００２４】
そして、内面壁１２４の上側には、上段部１２７が設けられている。上段部１２７は、内面壁１２４の前端から所定の幅Ｄ１だけ後方側の位置から後端に至り、内面壁１２４から突出した部分であり、下面１２７ａが平らに形成されている。上面１２６ａと下面１２７ａは、間隔Ｄ２を空けて平行に向かい合っている。
更に、上段部１２７の上端には、加熱調理器セット１００の内側に突出する鍔部１２８が形成されている。鍔部１２８にはネジ穴１２８ａが開口している。
【００２５】
次に、収納庫となる引き出し体１３０は、トレイ１３１と扉１３２から構成される。
トレイ１３１は、矩形状の底板１３１ａの前端から垂直方向に立ち上がる前壁１３１ｂと、底板１３１ａの左端から垂直方向に立ち上がる左壁１３１ｃと、底板１３１ａの右端から垂直方向に立ち上がる右壁１３１ｄと、後端から垂直方向に立ち上がる後板１３１ｅから成る上面が開口する箱体である。
【００２６】
左壁１３１ｃと右壁１３１ｄの高さは、支持体１２０に設けられている上段部１２７の下面１２７ａと、下段部１２６の上面１２６ａの間隔Ｄ２より、小さく構成されている。
扉１３１は、トレイ１３１の前壁１３１ｂを覆う部材であり、厚さがＤ１又はＤ１より小さい板状を成す部材である。また、扉１３２の下端には、凹部を形成することにより手掛け部１３２ａが形成されている。更に、扉１３２の上下方向の高さは、前壁１３１ｂの上下方向の高さより高く構成されている。扉１３１は、トレイ１３１の前壁１３１ｂに取り付けられている。
【００２７】
以上の各部は、次のように組み合わさり加熱調理器セット１００を構成する。
図３〜図５を参照すると、加熱調理器１の左側及び右側の下面に、それぞれ支持体１２０が設けられる。支持体１２０は鍔部１２８のネジ穴１２８ａにネジを通し、底板２１に形成されたネジ受け部（図示せず）にネジ止めすることで、加熱調理器１に固定される。
このように加熱調理器１の左側に取り付けられた支持体１２０の内面壁１２４と、右側に取り付けられた支持体１２０の内面壁１２４は、間隔を空けて向かい合う。
【００２８】
そして、加熱調理器１の下側であって、左右に取り付けられた支持体１２０に挟まれた空間に、引き出し体１３０が挿入されて取り付けられる。
この状態において、トレイ１３１は、下段部１２６と上段部１２７の間に位置し、底板１３１ａは下段部１２６に載った状態となる。下段部１２６の上面１２６ａは、平らに構成されているので、トレイ１３１は下段部１２６の上面１２６ａを前後に移動することができる。つまり、引き出し体１３０を左右の支持体１２０の間から出し入れできる。
特に、トレイ１３１の上側に上段部１２７が位置しているので、トレイ１３１を当該位置に対して出し入れするときに、斜めになることを防ぐことができる。
【００２９】
また、扉１３２は、厚さがＤ１又はＤ１より小さい板で構成されているので、上段部１２７及び下段部１２６が設けられていない左右の支持体１２０の前端からＤ１の部分に入り込む。つまり、引き出し体１３０は、扉１３２が左右の支持体１２０の間であって、支持体１２０の前面壁１２２より内側に収納できる。
このとき、扉１３２は、加熱調理器１と向かい合う左右の支持体１２０により囲まれる空間Ｒ２を塞ぐ。
このように、支持体１２０を構成することで、加熱調理器１の下の空間に収納スペースとして用いることができる引き出し体１３０を出し入れ可能に設けることができ、加熱調理器１の下の空間を有効に利用することができる。
【００３０】
ここで、図５を参照して、引き出し体１３０が加熱調理器１の下の空間に収納された状態では、加熱調理器１と扉１３２が間隔をおいて位置するよう構成されている。つまり、加熱調理器１と扉１３２の間には、隙間Ｘが形成される。
この様に、加熱調理器１と扉１３２の間に隙間Ｘが形成されているので、ファン２５を動作させることにより、加熱調理器セット１００の外部の空気を隙間Ｘから加熱調理器１の下部の空間に取り込み、そして、吸気口２１ａから加熱調理器１の内部へと流れる冷却風の気流Ｗ１を形成することができる。
これにより、下面に吸気口２１ａが形成された加熱調理器１であっても、加熱調理器１の下の空間に、収納スペースとして用いることができる引き出し体１３０を設けることができる。
【００３１】
また、引き出し体１３０が加熱調理器１の下の空間に収納された状態では、トレイ１３１の後端となる後板１３１ｅが、排気口２１ｂより前方に位置するよう構成されている。つまり、収納スペースである引き出し体１３０と排気口２１ｂが上下に重ならない。
これにより、収納スペースである引き出し体１３０の内部に、排気口２１ｂから排出される温められた気流Ｗ１が流入し難い。つまり、引き出し体１３０の内部の温度上昇を防止できる。
また、排気口２１ｂが閉鎖された空間である引き出し体１３０の外側に位置するので、排気口２１ｂから気流Ｗ１が排出されやすい。つまり、加熱調理器１の内部を冷却する気流がスムーズ流れるように構成することができる。
【００３２】
実施の形態２．
図６〜図７を参照して実施の形態２に係る加熱調理器セット１００を説明する。尚、実施の形態１と同じ構成については同じ符号を付し、説明を省略する。
トレイ１３１は、左壁１３１ｃと右壁１３１ｄは、同じ高さとなるように構成されている。また、後壁１３１ｅは、上段部１２７と左右方向の位置に至るように、左壁１３１ｃと右壁１３１ｄより高く構成されている。
つまり、後壁１３１ｅは、左壁１３１ｃ及び右壁１３１ｄより高くすることで、加熱調理器１との隙間Ｙや支持体１２０（上段部１２７）との隙間を小さくするように構成されている。
【００３３】
以上のように構成されているので、後壁１３１ｅと、加熱調理器１との隙間Ｙ、又は、支持体１２０（上段部１２７）との隙間がより小さくなり、排気口２１ｂから流れでる温められた気流が、トレイ１３１の内部に入り込みにくくすることができる。これにより、収納庫となる引き出し体１３０の内部の温度上昇を抑えることができる。
特に、後壁１３１ｅと加熱調理器１の隙間Ｙ、及び、後壁１３１ｅと支持体１２０（上段部１２７）との隙間Ｙを、加熱調理器１と扉１３２の隙間Ｘより小さく構成することで、排気口２１ｂから排出された気流が、よりトレイ１３１の内部に入り込みにくく構成することができる。
【００３４】
実施の形態３．
図８〜図１０を参照して実施の形態３に係る加熱調理器セット１００を説明する。尚、実施の形態１と同じ構成については同じ符号を付し、説明を省略する。
支持体１２０の外面壁１２３の上側には、外面開口１２３ａが形成されている。また、支持体１２０の内面壁１２４には、内面開口１２４ａが形成されている。本実施の形態では、内面壁１２４に形成されている上段部１２７の内側を向く面に内面開口１２４ａが形成されている。
【００３５】
外面開口１２３ａと内面開口１２４ａは、外面開口１２３ａに入った気流Ｗ２が、内面開口１２４ａから加熱調理器セット１００の内部である加熱調理器１と支持体１２０により囲まれた空間Ｒ２に流入できるように連通している。
つまり、支持体１２０には、加熱調理器セット１００の外部から内部に気流が流れる第１の連通部Ｒａが形成されている。また、外面開口１２３ａと内面開口１２４ａは、吸気口２１ａの側方に位置する。
【００３６】
以上のように構成されているので、加熱調理器セット１００は、ファン２５を動作させることで、外部の空気を第１の連通部Ｒａから加熱調理器１の下部の空間Ｒ２に取り込み、そして、吸気口２１ａから加熱調理器１の内部空間Ｒ１へと流れる冷却風の気流Ｗ２を形成することができる。
これにより、下面に吸気口２１ａが形成された加熱調理器１であっても、加熱調理器１の下の空間に、収納スペースとして用いることができる引き出し体１３０を設けることができる。
また、外面開口１２３ａを手が入る程度の大きさとすることにより、加熱調理器セット１００を設置位置に据え付ける際の手掛け部として用いることができる。
【００３７】
実施の形態４．
図１１〜図１７を参照して実施の形態３に係る加熱調理器セット１００を説明する。なお、実施の形態１と同じ構成については同じ符号を付し、説明を省略する。
支持体１２０の下端には、前後方向に幅がある凹部１２０ａが形成されている。この凹部１２０ａは、外面壁１２３から底部１２１に至る部位である。つまり、凹部１２０ａは支持体１２０か下端の角の部分であり、支持体１２０の下方及び側方に開口している。
そして、凹部１２０ａの内部には、底面開口１２１ａが形成されている。底面開口１２１ａは、スリット形状の複数の開口が前後方向に並んで形成されている開口群である。また、底面開口１２１ａは、下方向を向いて開口している。
【００３８】
次に、支持体１２０の内面壁１２４には、内面開口１２４ａが形成されている。本実施の形態では、内面壁１２４に形成されている上段部１２７の内側を向く面に内面開口１２４ａが形成されている。
底面開口１２１ａと内面開口１２４ａは、底面開口１２１ａから支持体１２０に入った気流Ｗ３が、内面開口１２４ａから加熱調理器セット１００の内部である加熱調理器１と支持体１２０により囲まれた空間に流入できるように連通している。
つまり、支持体１２０には、底面開口１２１ａから支持体１２０の内部を通り、内面開口１２４ａに至る加熱調理器セット１００の外部から内部に気流が流れる第２の連通部Ｒｂが形成されている。
【００３９】
以上のように構成されているので、加熱調理器セット１００は、ファン２５を動作させることで、外部の空気を第２の連通部Ｒｂから加熱調理器１の下部の空間Ｒ２に取り込み、そして、吸気口２１ａから加熱調理器１の内部へと流れる冷却風の気流Ｗ３を形成することができる。
これにより、下面に吸気口２１ａが形成された加熱調理器１であっても、加熱調理器１の下の空間に、収納スペースとして用いることができる引き出し体１３０を設けることができる。
【００４０】
また、空気を取り込む開口となる底面開口１２１ａを  支持体１２０の下端に形成した凹部１２０ａに設けられているので、加熱調理器セット１００の内部へと空気を取り込む開口を天板１０から遠ざけることができる。
これにより、調理中に天板１０の上に置かれた調理容器から跳ねた油や水分、油煙や水蒸気が、空気を取り込む開口である底面開口１２１ａに至るのを低減することができる。
更に、凹部１２０ａは、支持体１２０の側面方向から手が入る程度の大きさとすることにより、加熱調理器セット１００を設置位置に据え付ける際の手掛け部として用いることができる。
【００４１】
ここで、本実施の形態において、上記のように加熱調理器セット１００の内部に空気を取り込む開口を上記の凹部１２０ａの内部に形成した底面開口１２１ａとしたが、支持体１２０の前面壁１２２の下側に前面開口１２２ａ設けても良い。
この様に前面開口１２２ａを形成することで、加熱調理セット１００の設置位置の左右の領域に設置物が位置して、空気を取り込む開口を塞いでしまう場合であっても、支持体１２０の前方から空気を吸い込むことが可能となる。
【００４２】
また、図１１、図１５を参照すると、加熱調理器セット１００には、設置位置に固定する為の取付座１２９が設けられている。取付座１２９は矩形の板状に形成されており、一辺にヒンジが設けられ、開口１２９ａが形成されている。
そして、取付座１２９は、このヒンジを介して支持体１２０の外面壁１２３に取り付けられる。外面壁１２３の取付座１２９の取り付け位置は、凹部１２３ｂとなっている。
【００４３】
このように支持体１２０に設けられた取付座１２９は、外面壁１２３に対して閉じた状態（図１１）、外面壁１２３に対して開いた状態（図１５）と開閉自在である。
取付座１２９は、外面壁１２３に対して閉じた状態では、取り付け位置の凹部１２３ｂの内部に入り込んだ状態となり、外面壁１２３から突出した状態とならない。
また、取付座１２９は、外面壁１２３に対して開いた状態では、取り付け位置となる面と平行となり接する。この状態において、取付座１２９の開口１２９ａに、ネジを通し手ネジ止めすることで、加熱調理セット１００は取り付け位置に固定することができる。
【符号の説明】
【００４４】
１  加熱調理器、１０  天板、１１  トッププレート、１１ａ  加熱部表示、
１１ｂ  操作部表示、１１ｃ  操作部スイッチ、１２  枠、２０  本体ケース、
２１  底板、２１ａ  吸気口、２１ｂ  排気口、２１ｃ  脚部、２２  制御部、
２３  インバーター、２４  誘導加熱コイル、２５  ファン、２６  印刷配線基板、
１１０  支持装置、１２０  支持体、１２０ａ  凹部、１２１  底部、
１２１ａ  底面開口、１２２  前面壁、１２３  外面壁、１２４  内面壁、
１２５  後面壁、１２６  下段部、１２６ａ  上面、１２７  上段部、１２８  鍔部
１２８ａ  ネジ穴、１２９  取付座、１３０  引き出し体、１３１  トレイ、
１３１ａ  底板、１３１ｂ  前壁、１３１ｃ  左壁、１３１ｄ  右壁、１３２  扉
１３２  手掛け
【図１】
2018040498.tif 000003
【図２】
2018040498.tif 000004
【図３】
2018040498.tif 000005
【図４】
2018040498.tif 000006
【図５】
2018040498.tif 000007
【図６】
2018040498.tif 000008
【図７】
2018040498.tif 000009
【図８】
2018040498.tif 000010
【図９】
2018040498.tif 000011
【図１０】
2018040498.tif 000012
【図１１】
2018040498.tif 000013
【図１２】
2018040498.tif 000014
【図１３】
2018040498.tif 000015
【図１４】
2018040498.tif 000016
【図１５】
2018040498.tif 000017
【図１６】
2018040498.tif 000018
【図１７】
2018040498.tif 000019